(57)【要約】  【課題】  頭脳の良い野鳥や獣でも追い払うことができる鳥獣害防止用案山子を提供すること。  【解決手段】  人間とそれに従う鷹とをモデルにした案山子にした。すなわち、人間に模した外観形状を有する人状模型１０と、当該人状模型１０の回りを羽ばたき動作しながら旋回可能な猛鳥を模した猛鳥模型３０とを備え、人状模型１０には、物体感知センサ２３とスピーカ７２を含む音声発生装置が設けられた構成とした。さらに、加えて、猛鳥模型３０の眼が発光するようにした構成である。【選択図】  図１
0003124132.tif 000002
【実用新案登録請求の範囲】
【請求項１】
人間に模した外観形状を有する人状模型と、当該人状模型の回りを羽ばたき動作しながら旋回可能な猛鳥を模した猛鳥模型とを備え、
前記人状模型には、物体感知センサと発声器を含む音声発生装置が設けられた構成の鳥獣害防止用案山子。
【請求項２】
前記猛鳥模型の眼が発光可能とされた請求項１記載の鳥獣害防止用案山子。
【考案の詳細な説明】
【技術分野】
【０００１】
本考案は、田畑・果樹園などに設置して、野鳥（雀・烏等）や獣（野猿，猪等）による農作物の食害を防止するのに役立つ鳥獣害防止用案山子に関する。
【背景技術】
【０００２】
従来から、田畑・果樹園などには、野鳥（雀・烏等）や獣（野猿，猪等）による農作物の食害を防止するために、農作業労働者の格好をした案山子が設置されることが多い。
【０００３】
しかし、野鳥や獣は、案山子を初めて見たときは、人間がいると思って逃げ出すものの、すぐに動きもせず威嚇音も発しないことから人間ではないことを見破ってしまい、平気で田畑・果樹園内に侵入して農作物を食い荒らしてしまう。
【０００４】
そこで、最近では、野鳥や獣を検知すると案山子が威嚇音や閃光を発する鳥獣害防止具が提案されている（例えば、特許文献１参照）。
【特許文献１】特開平８−１２６４６０号
【考案の開示】
【考案が解決しようとする課題】
【０００５】
しかし、上記した鳥獣害防止具は、最初のうちは効果があると思われるものの、頭脳の良い野鳥（例えば烏）や獣（例えば野猿）では直ちに案山子が自分たちを捕まえたり危害を加える程の機能（素早い動き等）を持っていないと分かってしまう。
【０００６】
本考案の目的は、頭脳の良い野鳥や獣でも追い払うことができる鳥獣害防止用案山子を提供することにある。
【課題を解決するための手段】
【０００７】
上記目的を達成するために、人間に模した外観形状を有する人状模型と、当該人状模型の回りを羽ばたき動作しながら旋回可能な猛鳥を模した猛鳥模型とを備え、前記人状模型には、物体感知センサと発声器を含む音声発生装置が設けられた構成の鳥獣害防止用案山子である。
【０００８】
上記請求項１の考案の場合、人状模型および猛鳥模型は田畑や果樹園などの鳥・獣の侵入箇所に設置される。鳥・獣が人状模型に近づくと、物体感知センサが検知して当該人状模型の発声器から音声（威嚇音等）が発せられる。
【０００９】
この際、鳥・獣は、人状模型からの威嚇音に驚かされることになるが、自然界での天敵の猛鳥（鷹や鷲など）を模した猛鳥模型にも驚かされることになる。
【００１０】
ここで、無音の人状模型だけであったならば、鳥・獣はすぐに慣れてしまうと思われるが、当該人状模型から威嚇音が発せられるとともに、その近くに猛鳥模型があるという、今までに見たこともない状況をみて本当に恐怖を抱いてしまう。  
【００１１】
しかも、猛鳥模型は、人状模型の回りを羽ばたきながら旋回しているので、田畑や果樹園などに近づいてきた鳥・獣には、猛鳥から素早い攻撃を受けるおそれがあるように感じられる。この恐怖心には、頭脳の良い野鳥や獣でも慣れることがないと思われる。
【００１２】
請求項２の考案は、前記猛鳥模型の眼が発光可能とされた鳥獣害防止用案山子である。
【００１３】
上記請求項２の考案の場合、請求項１の考案と同様な作用・効果を奏するが、猛鳥模型の眼が発光するので、鳥・獣には猛鳥の強い視線で射竦められたように感じることになる。したがって、頭脳の良い野鳥や獣でも一段と効果的に追い払うことができる。
【考案の効果】
【００１４】
請求項１の考案によれば、人間に模した外観形状を有しかつ発音器から音声を発せられる人状模型と、当該人状模型の回りを羽ばたきながら旋回可能な猛鳥を模した猛鳥模型とを備えているので、鳥・獣は当該人状模型から発せられる音（威嚇音）で驚かされるとともに、その近くには直ちに攻撃態勢に移れる猛鳥（例えば鷹や鷲）を模した猛鳥模型があって、二重に驚かされる。この二重の驚きには鳥・獣は慣れることがない。これにより、頭脳の良い野鳥や獣でも追い払うことができる。
【００１５】
請求項２の考案は、前記猛鳥模型には発光可能な眼が設けられた構成とされているので、請求項１の考案と同様な作用・効果を奏することになるが、鳥・獣は更に猛鳥の強い視線で射竦められたように感じることになる。したがって、頭脳の良い野鳥や獣でも一段と効果的に追い払うことができる。
【考案を実施するための最良の形態】
【００１６】
本考案の最良の実施形態を図面に基づき説明する。
【００１７】
本考案に係る鳥獣害防止用案山子１は、図１に示すように、人間に模した外観形状を有する人状模型１０と、当該人状模型１０の回りを羽ばたき動作しながら旋回可能な猛鳥を模した猛鳥模型３０とを備えた構成とされている。
【００１８】
この実施形態では、人状模型１０は、頭に陣笠を被り片方の腕に猛鳥としての鷹を止まらせた人間（すなわち鷹匠）を模して作成されている。
【００１９】
詳しくは、人状模型１０は、脚部１１、胴体部１３、腕部１５および頭部１７から構成されている。
【００２０】
まず、脚部１１は、直線状の金属製のパイプから形成されている。このパイプの先端部は、地面に刺さりやすいように尖っている。
【００２１】
つぎに、胴体部１３は、上下に細長い箱状に形成されており、前面部には第１の太陽電池１４が設けられている。太陽電池１４が太陽の光を受けて生成した電気は蓄電池（図４では符号７０）に蓄えられる。なお、蓄電池（７０）は、大容量の蓄電が可能であり、小型・軽量化が容易な二重層コンデンサから形成されている。
【００２２】
腕部１５は、図１に示すように、右方に伸びた右腕１５ａと左方に伸びた左腕１５ｂとからなり、胴体部１３の上方に回転支持部材１６を介して当該胴体部１３の縦軸線１３Ｙを中心として回転可能に設けられている。右腕１５ａには第２の太陽電池４１が設けられており、左腕１５ｂには猛鳥模型３０が取り付けられている。なお、図１中、１６ｈは腕（１５ａ，１５ｂ）の垂れ下がりを防止する補助棒である。
【００２３】
頭部１７は、胴体部１３に首部材１７ｎを介して設けられている。この実施形態では、金属製の薬缶を利用して形成されている。頭部１７の顔部分には、図２（Ａ），（Ｂ）に示すように、２つの眼（１８，１８）と１つの口１９とが形成されている。この頭部１７の後側部分と両眼（１８，１８）には、物体を検知する物体検知センサが設けられている。この実施形態では、物体検知センサは、赤外線センサ（２３）から構成されている。また、頭部１７の口１９には、発声器としてのスピーカ７２が設けられている。なお、上記した物体検知センサ（赤外線センサ２３）は、物体検知センサユニット２４を介して図４に示す制御回路６０に接続されている。また、スピーカ７２は、音声発声ユニット７３を介して制御回路６０に接続されている。
【００２４】
この頭部１７には、図１に示すように、陣笠状の帽子２１が被せられている。この実施形態では、帽子２１は、アルミニウム製のお盆を鈍角状に折り曲げて形成されており、上面部分には第３の太陽電池２２が設けられている。また、帽子２１の前部には、上空から飛来する物体を検知する物体検知センサが設けられている。この実施形態では、物体検知センサは、赤外線センサ２３から構成されている。なお、帽子２１の両側部分には、縁部分に沿って複数のＬＥＤ２７が設けられている。また、帽子２１の後部には、図２（Ａ）に示すように、昼夜の別を判別するための光センサ２５が設けられている。
【００２５】
上記した物体検知センサ（赤外線センサ２３）は、物体検知センサユニット２４を介して制御回路６０に接続されている。光センサ２５は、光センサユニット２６を介して制御回路６０に接続されている。各ＬＥＤ２７は、ＬＥＤ制御ユニット（図示省略）を介して制御回路６０に接続されている。
【００２６】
猛鳥模型３０は、図３に示すように、猛鳥を模した外観形状を有しており、胴体部３１、頭部３５、羽根部３８および尾部３９とから構成されている。胴体部３１は、人状模型１０の左腕１５ｂに固定されており、図３（Ａ），（Ｂ）に示すように、円筒状に形成されている。胴体部３１の後部には、プロペラ３２が支持部材３４等を介して回転自在に設けられており、当該胴体部３１に内蔵されたモータ３３で回転駆動される構成とされている。なお、モータ３３は、モータ駆動ユニット３３ｕを介して制御回路６０に接続されている。
【００２７】
頭部３５は、胴体部３１の前部に首部材３６を介して固定されており、２つの眼と１つの嘴とが設けられている。両眼は、黄色光を発するＬＥＤ３７から形成されている。ＬＥＤ３７はＬＥＤ制御ユニット３８を介して制御回路６０に接続されている。
【００２８】
羽根部３８は、図３（Ｂ）に示すように、胴体部３１の両側に大きく羽を伸ばしたように形成されている。この羽根部３８の基端部は、胴体部３１の両側に揺動可能に支持されており、当該基端部を中心にばね力で上下方向に揺動（羽ばたき動作）するものと構成されている。
【００２９】
上記猛鳥模型３０は、プロペラ３２が回転駆動されると、その推進力によって前進して人状模型１０の左腕１５ｂを介して胴体部軸線１３Ｙを中心として旋回する。この際、猛鳥模型３０の羽根部３８は、羽ばたき動作する。
【００３０】
上記構成の鳥獣害防止用案山子１は、田畑や果樹園などの鳥・獣の侵入箇所に設置される。この鳥獣害防止用案山子１の光センサ２５が昼間に一定量の光量を感知することによって、物体検知センサ（赤外線センサ２３）およびＬＥＤ３７等が電気的に作動状態になる。
【００３１】
光センサ２５が一定量の光量を感知した状態で、鳥・獣が鳥獣害防止用案山子１に近づくと、これを物体検知センサ（２３）が検知する。すると、制御回路６０は、音声発生ユニット７３を介して当該人状模型１０のスピーカ７２を駆動して、音声（威嚇音等）を出させる。この際、人状模型１０の帽子のＬＥＤ２７が順次点滅する。また、制御回路６０は、猛鳥模型３０の電気モータ３３を駆動してプロペラ３２を回転させる。これにより、猛鳥模型３０は、人状模型１０の回りを羽ばたきながら旋回する。この際、猛鳥模型３０の両眼も黄色光を放つ。
【００３２】
したがって、鳥・獣は、人状模型からの音声（威嚇音）に驚かされることになるが、自然界での天敵の鷹を模した猛鳥模型３０にも驚かされることになる。
【００３３】
ここで、無音の人状模型だけであったならば、鳥・獣はすぐに慣れてしまうと思われるが、人状模型１０から突然の音声（威嚇音）が発せられるとともに、その近くには猛鳥模型３０がいるという、今までに見たこともない状況をみて本当に驚いてしまう。
【００３４】
しかも、猛鳥模型３０は、人状模型１０の回りを羽ばたきながら旋回しているので、田畑や果樹園などに近づいてきた鳥・獣には、猛鳥（この実施形態では鷹）から素早い攻撃を受けるおそれがあるように感じられる。この恐怖心には、頭脳の良い野鳥や獣でも慣れることがないと思われる。
【００３５】
また、この実施態様では、猛鳥模型の眼は発光するので、鳥・獣は更に猛鳥（鷹）の強い視線で射竦められたような恐怖心を感じることになる。したがって、頭脳の良い野鳥や獣でも更に効果的に追い払うことができる。
【図面の簡単な説明】
【００３６】
【図１】本考案の実施形態を説明するための斜視図である。
【図２】本考案の人状模型の頭部を説明するための図である。
【図３】本考案の猛鳥模型を説明するための図である。
【図４】本考案の電子・電気的構成を説明するためのブロック図である。
【符号の説明】
【００３７】
１０  人状模型
２３  物体検知センサ
３０  猛鳥模型
７２  スピーカ（音声発生器）
【図１】
0003124132.tif 000003
【図２】
0003124132.tif 000004
【図３】
0003124132.tif 000005
【図４】
0003124132.tif 000006